(57)【要約】【課題】従来技術に比較して簡単な方法でより確実にＩＰ網を介してファクシミリ通信することができる。【解決手段】ファクシミリ装置２０において、宛先毎にＩＰ網経由のファクシミリ通信であるか否かを含む短縮番号テーブル７ａを格納するＲＡＭ７を備える。主制御部１は、短縮番号テーブル７ａに基づいてＩＰ網経由のファクシミリ通信であることを判断したとき（ステップＳ１でＹＥＳ、ステップＳ１１でＹＥＳ）、送出するファクシミリ信号のレベルを所定のレベルだけ上げて設定して送信し（ステップＳ２）、所定の伝送速度以下に制限してファクシミリ通信する（ステップＳ１２）などのＩＰ網対策処理を実行するように制御する。【選択図】図４
2006050066.tif 000002
【特許請求の範囲】
【請求項１】
ＩＰ網経由のファクシミリ通信であるとき、
（１）送出するファクシミリ信号のレベルを所定のレベルだけ上げて設定して送信することと、
（２）所定の伝送速度以下に制限してファクシミリ通信することと
のうちの少なくとも一方のＩＰ網対策処理を実行するように制御する制御手段を備えたことを特徴とする通信端末装置。
【請求項２】
宛先毎にＩＰ網経由のファクシミリ通信であるか否かを含むテーブルを格納する記憶手段をさらに備え、
上記制御手段は、上記テーブルに基づいてＩＰ網経由のファクシミリ通信であることを判断することを特徴とする請求項１記載の通信端末装置。
【請求項３】
所定のファクシミリ信号を送信した後、当該ファクシミリ信号に応答して受信する応答信号までの時間が所定のしきい値時間を超えたとき、ＩＰ網経由のファクシミリ通信であると判断し、上記テーブルの当該宛先に対してＩＰ網経由のファクシミリ通信であることを設定する設定手段をさらに備えたことを特徴とする請求項２記載の通信端末装置。
【請求項４】
上記設定手段によりＩＰ網経由のファクシミリ通信であると判断したとき、上記制御手段は、送出するファクシミリ信号のレベルを所定のレベルだけ上げて設定して送信することを特徴とする請求項３記載の通信端末装置。
【発明の詳細な説明】
【技術分野】
【０００１】
本発明は、例えばファクシミリ装置などの通信端末装置に関する。
【背景技術】
【０００２】
昨今、例えばインターネットなどのインターネットプロトコルを用いて通信を行うネットワーク（以下、ＩＰ網という。）を介してインターネットプロトコル電話（以下、ＩＰ電話という。）が普及始めている。
【０００３】
このＩＰ電話では、音声信号をパケット化して送信するために、回線遅延などにより、通話切断、回線切断などが発生して、通話品質が悪く、通信エラーが発生するという問題点があった。この問題点を解決するために、特許文献１においては、「有線電話機で通話する場合には、高圧縮の音声符号化方式で符号化し、携帯電話機で通話する場合には、高品位の音声圧縮方式で符号化して、ゲートウェイ１０８からインターネット網１０７に送出する。」ことが開示されている。
【０００４】
【特許文献１】特開２０００−３０７７２０号公報。
【発明の開示】
【発明が解決しようとする課題】
【０００５】
しかしながら、特許文献１において開示された方法は、符号化方式が複雑であって音声信号のみに適用され、ファクシミリ信号には適用できないという問題点があった。この問題点を解決するためには、ファクシミリ送信時に交信トラブルとなったときに、ファクシミリ装置のサービスマンがファクシミリ信号の信号タイミングなどの調整を行う必要があった。
【０００６】
本発明の目的は以上の問題点を解決し、従来技術に比較して簡単な方法でより確実にＩＰ網を介してファクシミリ通信することができるファクシミリ装置などの通信端末装置を提供することにある。
【課題を解決するための手段】
【０００７】
本発明に係る通信端末装置は、ＩＰ網経由のファクシミリ通信であるとき、
（１）送出するファクシミリ信号のレベルを所定のレベルだけ上げて設定して送信することと、
（２）所定の伝送速度以下に制限してファクシミリ通信することと
のうちの少なくとも一方のＩＰ網対策処理を実行するように制御する制御手段を備えたことを特徴とする。
【０００８】
上記通信端末装置において、宛先毎にＩＰ網経由のファクシミリ通信であるか否かを含むテーブルを格納する記憶手段をさらに備え、
上記制御手段は、上記テーブルに基づいてＩＰ網経由のファクシミリ通信であることを判断することを特徴とする。
【０００９】
また、上記通信端末装置において、所定のファクシミリ信号を送信した後、当該ファクシミリ信号に応答して受信する応答信号までの時間が所定のしきい値時間を超えたとき、ＩＰ網経由のファクシミリ通信であると判断し、上記テーブルの当該宛先に対してＩＰ網経由のファクシミリ通信であることを設定する設定手段をさらに備えたことを特徴とする。
【００１０】
さらに、上記通信端末装置において、上記設定手段によりＩＰ網経由のファクシミリ通信であると判断したとき、上記制御手段は、送出するファクシミリ信号のレベルを所定のレベルだけ上げて設定して送信することを特徴とする。
【発明の効果】
【００１１】
従って、本発明に係る通信端末装置によれば、ＩＰ網経由のファクシミリ通信であるとき、上述のＩＰ網対策処理を実行するので、従来技術に比較して簡単な方法でより確実にＩＰ網を介してファクシミリ通信することができる。
【００１２】
上記通信端末装置において、宛先毎にＩＰ網経由のファクシミリ通信であるか否かを含むテーブルを格納する記憶手段をさらに備え、上記制御手段は、上記テーブルに基づいてＩＰ網経由のファクシミリ通信であることを判断する。従って、ＩＰ網経由のファクシミリ通信であることを自動的に判断でき、従来技術に比較して簡単な方法でより確実にＩＰ網を介してファクシミリ通信することができる。
【００１３】
また、上記通信端末装置において、所定のファクシミリ信号を送信した後、当該ファクシミリ信号に応答して受信する応答信号までの時間が所定のしきい値時間を超えたとき、ＩＰ網経由のファクシミリ通信であると判断し、上記テーブルの当該宛先に対してＩＰ網経由のファクシミリ通信であることを設定する設定手段をさらに備える。従って、ＩＰ網経由のファクシミリ通信であることを自動的に判断できて設定でき、従来技術に比較して簡単な方法でより確実にＩＰ網を介してファクシミリ通信することができる。
【００１４】
さらに、上記通信端末装置において、上記設定手段によりＩＰ網経由のファクシミリ通信であると判断したとき、上記制御手段は、送出するファクシミリ信号のレベルを所定のレベルだけ上げて設定して送信するので、従来技術に比較して簡単な方法でより確実にＩＰ網を介してファクシミリ通信することができる。
【発明を実施するための最良の形態】
【００１５】
以下、本発明に係る実施形態について図面を参照して説明する。
【００１６】
図１は、本発明に係る実施形態である、ＩＰ網対策機能を有するファクシミリ装置２０の構成を示すブロック図である。この実施形態のファクシミリ装置２０において、宛先毎にＩＰ網経由のファクシミリ通信であるか否かを含む短縮番号テーブル７ａを格納するＲＡＭ７を備え、主制御部１は、短縮番号テーブル７ａに基づいてＩＰ網経由のファクシミリ通信であることを判断したとき（図４のステップＳ１でＹＥＳ、図５のステップＳ１１でＹＥＳ）、（１）送出するファクシミリ信号のレベルを所定のレベルだけ上げて設定して送信し（図４のステップＳ２）、（２）所定の伝送速度以下に制限してファクシミリ通信する（図５のステップＳ１２）ことなどのＩＰ網対策処理を実行するように制御する。また、例えばトレーニング信号などの所定のファクシミリ信号を送信した後、当該ファクシミリ信号に応答して受信する応答信号までの時間が所定のしきい値時間（例えば、１．５秒）を超えたとき（ステップＳ１６でＹＥＳ）、ＩＰ網経由のファクシミリ通信であると判断し、上記短縮番号テーブル７ａの当該宛先に対してＩＰ網経由のファクシミリ通信であるかを設定する（ステップＳ１９）。さらに、上記設定によりＩＰ網経由のファクシミリ通信であると判断したとき、主制御部１は、送出するファクシミリ信号のレベルを所定のレベルだけ上げて設定して送信することを特徴とする。
【００１７】
図１において、ファクシミリ装置２０は、従来のＧ３方式等のファクシミリ通信機能を備えるとともに、ＩＰ網対策機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１８】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１９】
ＲＯＭ６は、当該ファクシミリ装置２０の動作に必要であって主制御部１によって実行される種々のソフトウェアのプログラムを予め格納し、ここで、当該プログラムは、少なくとも図４及び図５のファクシミリ送信処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶する。また、ＲＡＭ７は、詳細後述する短縮番号テーブル７ａを格納する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００２０】
ファックスモデム１０は、公衆電話回線Ｌに接続され、通常のファクシミリ通信用のファックスモデムの機能を有するモデムであり、ＦＳＫ信号として受信される発信電話番号情報のデータを復調して主制御部１に出力する。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のデジタル回線（例えば、ＩＳＤＮ回線）に接続するようにしてもよい。
【００２１】
以上のように構成された本実施形態のファクシミリ装置２０は、通常のＧ３方式等のファクシミリ通信機能に加えて、ＩＰ網対策機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００２２】
さらに、高速でファクシミリ通信などのデータ通信が可能なＶ．３４モード及びＶ．８モードの通信手順について説明する。ファクシミリ装置などの通信端末装置でデータ通信を行う場合には半二重方式の例えばＩＴＵ−Ｔの勧告Ｖ．１７モードの通信手順等に準拠した変復調装置を使用し、Ｇ３規格のファクシミリ通信手順でもある同勧告Ｔ．３０に規定されている手順に従って行う。また、同勧告Ｖ．３４に準拠した最大伝送速度が３３．６ｋｂｐｓの超高速の通信手順（以下、Ｖ．３４モードの通信手順という。）も実用化されており、このＶ．３４モードの通信手順では通信の開始時点及び通信実行中において、受信側でその時点の回線状況、具体的にはＳ／Ｎ（信号対雑音電力比）、帯域幅に応じて通信速度を指定することが可能であり，送信側ではそのようにして受信側で指定された通信速度で送信を行うように通信速度を変更する。なお、Ｖ．３４モードの通信手順でデータ通信を行う場合には同じく同勧告Ｖ．８通信手順で前手順を行って実際の通信速度を決定する。
【００２３】
図２は、図１のＲＡＭ７内の短縮番号テーブル７ａの一例を示すフローチャートである。図２において、短縮番号テーブル７ａは、予めユーザにより入力され、もしくは、ＩＰ網経由の設定は図５のステップＳ１９において設定される。短縮番号テーブル７ａは、短縮番号毎に、ファクシミリ番号とともに、ＩＰ網経由のファクシミリ通信であるか（○）否か（×）を格納している。
【００２４】
図４及び図５は、図１の主制御部１により実行されるファクシミリ送信処理を示すフローチャートである。
【００２５】
図４のステップＳ１において、短縮ダイヤルテーブル７ａに基づきＩＰ網経由か否かが判断され、ＹＥＳのときはステップＳ２に進む一方、ＮＯのときはステップＳ３に進む。ステップＳ２において送出信号レベルを上げて設定し、ステップＳ３において宛先に発呼し、ステップＳ４においてＴ０タイマーをスタートさせる。次いで、ステップＳ５においてＣＮＧ信号を送出し、ステップＳ６においてＤＩＳ信号及びＮＳＦ信号を検出したか否かが判断され、ＹＥＳのときはステップＳ９に進む一方、ＮＯのときはステップＳ７に進む。ステップＳ７においてＴ０タイマーがタイムオーバーしたか（例えば、３５秒間の計時オーバー）否かが判断され、ＹＥＳのときはステップＳ８に進む一方、ＮＯのときはステップＳ６に戻る。そして、ステップＳ８において３分間待機処理を実行した後、リダイヤルのためにステップＳ３に戻る。さらに、ステップＳ９では、ＮＳＦ信号のＦＩＦ（ファクシミリ・インフォメーション・フィールド）に基づいて伝送モードを決定して図５のステップＳ１１に進む。
【００２６】
図５のステップＳ１１において、短縮番号テーブル７ａに基づきＩＰ網経由のファクシミリ送信か否かが判断され、ＹＥＳのときはステップＳ１２に進む一方、ＮＯのときはステップＳ１３に進む。ステップＳ１２では、Ｖ．１７モード以下の伝送モード（Ｖ．１７モード又はＶ．２９モード）に設定し、ステップＳ１３においてＤＣＳ信号を送出し、ステップＳ１４においてトレーニング信号を送出する。次いで、ステップＳ１５においてＣＦＲ信号及びＦＴＴ信号を検出したか否かが判断され、ＹＥＳのときはステップＳ１７に進む一方、ＮＯのときはステップＳ１６に進む。ステップＳ１６において１．５秒を経過したか否かが判断され、ＹＥＳのときはステップＳ１８に進む一方、ＮＯのときはステップＳ１５に戻る。一方、ステップＳ１５でＹＥＳのときに、ステップＳ１７においてＣＦＲ信号を検出したか否かが判断され、ＹＥＳのときはステップＳ２３に進む一方、ＮＯのときはステップＳ１１に戻る。ステップＳ２３では公知の画像データ送信処理を実行し、ステップ２４では、回線開放して当該ファクシミリ送信処理を終了する。
【００２７】
次いで、ステップＳ１８では、１．５秒間待機し、ステップＳ１９において当該宛先に対して短縮番号テーブル７ａにおいてＩＰ網経由に設定し、ステップＳ２０において送出信号レベルを所定のレベルだけ上げて設定し、ステップＳ２１においてトレーニング信号を３回送出したか否かが判断され、ＹＥＳのときはステップＳ２２に進む一方、ＮＯのときはステップＳ１１に戻る。ステップＳ２２では、ＤＣＮ信号を送出した後、ステップＳ２４に進み、回線開放して当該ファクシミリ送信処理を終了する。
【００２８】
図３（ａ）は従来例のファクシミリ信号手順を示すタイミングチャートであり、図３（ｂ）は実施形態に係るファクシミリ信号手順を示すタイミングチャートである。図３（ａ）の従来例では、ＤＩＳ信号を送出した後、ＩＰ網経由では、ＣＦＲ信号及びＦＴＴ信号を受信できないので、ＤＣＳ信号とトレーニング信号とを３回送出してファクシミリ送信できずに終了している。一方、図３（ｂ）の実施形態では、ＤＣＳ信号及びトレーニング信号の送出の後、１．５秒間の待機を設け、送出レベルを上げているので、次のＤＣＳ信号とトレーニング信号の送出に応答してＣＦＲ信号を受信できるので、正常なファクシミリ送信処理を実行できる。
【００２９】
以上説明したように、本実施形態によれば、主制御部１は、短縮番号テーブル７ａに基づいてＩＰ網経由のファクシミリ通信であることを判断したとき（図４のステップＳ１でＹＥＳ、図５のステップＳ１１でＹＥＳ）、（１）送出するファクシミリ信号のレベルを所定のレベルだけ上げて設定して送信し（図４のステップＳ２）、（２）所定の伝送速度以下に制限してファクシミリ通信する（図５のステップＳ１２）ことなどのＩＰ網対策処理を実行するように制御する。従って、従来技術に比較して簡単な方法でより確実にＩＰ網を介してファクシミリ通信することができる。
【００３０】
また、例えばトレーニング信号などの所定のファクシミリ信号を送信した後、当該ファクシミリ信号に応答して受信する応答信号までの時間が所定のしきい値時間（例えば、１．５秒）を超えたとき（ステップＳ１６でＹＥＳ）、ＩＰ網経由のファクシミリ通信であると判断し、上記短縮番号テーブル７ａの当該宛先に対してＩＰ網経由のファクシミリ通信であるかを設定する（ステップＳ１９）。従って、ＩＰ網経由のファクシミリ通信であることを自動的に判断でき、従来技術に比較して簡単な方法でより確実にＩＰ網を介してファクシミリ通信することができる。
【００３１】
さらに、上記設定によりＩＰ網経由のファクシミリ通信であると判断したとき、主制御部１は、送出するファクシミリ信号のレベルを所定のレベルだけ上げて設定して送信することを特徴とする。従って、従来技術に比較して簡単な方法でより確実にＩＰ網を介してファクシミリ通信することができる。
【００３２】
＜変形例＞
以上の実施形態においては、ファクシミリ装置２０の例について述べているが、本発明はこれに限らず、公衆電話網又は公衆デジタル回線網などの公衆網に接続された、例えば電話機、データ通信装置などを含む通信端末装置に適用することができる。
【００３３】
また、ＩＰ網経由のファクシミリ通信であると判断したとき、
（１）送出するファクシミリ信号のレベルを所定のレベルだけ上げて設定して送信することと、
（２）所定の伝送速度以下に制限してファクシミリ通信することと
のうちの少なくとも一方のＩＰ網対策処理を実行するように制御してもよい。
【図面の簡単な説明】
【００３４】
【図１】本発明に係る実施形態である、ＩＰ網対策機能を有するファクシミリ装置２０の構成を示すブロック図である。
【図２】図１のＲＡＭ７内の短縮番号テーブル７ａの一例を示すフローチャートである。
【図３】（ａ）は従来例のファクシミリ信号手順を示すタイミングチャートであり、（ｂ）は実施形態に係るファクシミリ信号手順を示すタイミングチャートである。
【図４】図１の主制御部１により実行されるファクシミリ送信処理の第１の部分を示すフローチャートである。
【図５】図１の主制御部１により実行されるファクシミリ送信処理の第２の部分を示すフローチャートである。
【符号の説明】
【００３５】
１…主制御部、
２…画像読取部、
３…画像記録部、
４…表示部、
５…操作部、
６…ＲＯＭ、
７…ＲＡＭ、
７ａ…短縮番号テーブル、
８…画像メモリ、
１０…ファックスモデム、
１１…ＮＣＵ、
１３…バス、
２０…ファクシミリ装置、
Ｌ…公衆電話回線。
【図１】
2006050066.tif 000003
【図２】
2006050066.tif 000004
【図３】
2006050066.tif 000005
【図４】
2006050066.tif 000006
【図５】
2006050066.tif 000007